(57)【特許請求の範囲】
【請求項１】
携帯端末が、保存している動画から静止画を切り出し、切り出し静止画データにコード情報を埋め込み、前記コード情報を埋め込んだ切り出し静止画データを画像プリント装置へ送信する工程と、
前記画像プリント装置が、前記携帯端末から受信した静止画データに前記コード情報が埋め込まれているか否か検出し、前記コード情報が埋め込まれた切り出し静止画データを印画紙にプリントする工程と、
を備える画像プリント方法。
【請求項２】
前記画像プリント装置が、前記コード情報が埋め込まれた切り出し静止画データに対し、前記コード情報が埋め込まれていない静止画データとは異なる画像処理を施すことを特徴とする請求項１に記載の画像プリント方法。
【請求項３】
前記切り出し静止画データはＪＰＥＧ形式のデータであり、
前記携帯端末は、前記コード情報を圧縮データの終了を示すＥＯＩマーカの後ろに埋め込むことを特徴とする請求項１又は２に記載の画像プリント方法。
【請求項４】
前記切り出し静止画データはＪＰＥＧ形式のデータであり、
前記携帯端末は、前記コード情報をメタデータの所定領域に埋め込むことを特徴とする請求項１又は２に記載の画像プリント方法。
【請求項５】
前記携帯端末は、前記切り出し静止画データのファイル更新日時情報又は撮影日時情報に、動画撮影日時情報を設定し、
前記画像プリント装置は、前記携帯端末から受信した静止画データを、設定されている前記動画撮影日時情報に基づいて撮影日時順に表示することを特徴とする請求項１乃至４のいずれかに記載の画像プリント方法。
【請求項６】
前記携帯端末は、前記切り出し静止画データのファイル更新日時情報又は撮影日時情報に、動画撮影日時情報を設定し、
前記画像プリント装置は、前記携帯端末から受信した静止画データに、設定されている前記動画撮影日時情報を画像合成することを特徴とする請求項１乃至４のいずれかに記載の画像プリント方法。
【請求項７】
前記動画撮影日時情報は、切り出し元の動画の更新日時であることを特徴とする請求項５又は６に記載の画像プリント方法。
【請求項８】
前記動画撮影日時情報は、前記切り出し静止画の撮影日時であることを特徴とする請求項５又は６に記載の画像プリント方法。
【請求項９】
切り出し元の動画の更新日時、及び切り出し元の動画内の先頭から何番目の静止画であるかに基づいて、前記切り出し静止画の撮影日時を算出することを特徴とする請求項８に記載の画像プリント方法。
【請求項１０】
携帯端末から静止画データの入力を受け付ける入力部と、
前記静止画データに、動画から切り出されたことを示すコード情報が埋め込まれているか否かを検出する検出部と、
前記コード情報が埋め込まれた静止画データを印画紙にプリントするプリンタと、
を備える画像プリント装置。
【請求項１１】
前記コード情報が埋め込まれた静止画データに対し、前記コード情報が埋め込まれていない静止画データとは異なる画像処理を施す画像処理部をさらに備えることを特徴とする請求項１０に記載の画像プリント装置。
【請求項１２】
前記静止画データはＪＰＥＧ形式のデータであり、
前記検出部は、前記静止画データの圧縮データの終了を示すＥＯＩマーカの後ろの領域に前記コード情報が埋め込まれているか否かを検出することを特徴とする請求項１０又は１１に記載の画像プリント装置。
【請求項１３】
前記静止画データはＪＰＥＧ形式のデータであり、
前記検出部は、メタデータの所定領域に前記コード情報が埋め込まれているか否かを検出することを特徴とする請求項１０又は１１に記載の画像プリント装置。
【請求項１４】
保存している動画から静止画を切り出し、切り出し静止画にコード情報を埋め込み、前記コード情報を埋め込んだ切り出し静止画データを送信する携帯端末と、
前記携帯端末から受信した静止画データに前記コード情報が埋め込まれているか否かを検出し、前記コード情報が埋め込まれた切り出し静止画データを印画紙にプリントする画像プリント装置と、
を備える画像プリントシステム。
【請求項１５】
前記画像プリント装置が、前記コード情報が埋め込まれた切り出し静止画データに対し、前記コード情報が埋め込まれていない静止画データとは異なる画像処理を施すことを特徴とする請求項１４に記載の画像プリントシステム。
【請求項１６】
保存している動画から静止画を切り出すステップと、
切り出し静止画にコード情報を埋め込むステップと、
前記コード情報を埋め込んだ切り出し静止画データを画像プリント装置へ送信するステップと、
を携帯端末のコンピュータに実行させるプログラムであって、
前記切り出し静止画データはＪＰＥＧ形式のデータであり、
前記コード情報を圧縮データの終了を示すＥＯＩマーカの後ろに埋め込ませることを特徴とするプログラム。
【請求項１７】
前記切り出し静止画データのファイル更新日時情報又は撮影日時情報に、動画撮影日時情報を設定させることを特徴とする請求項１６に記載のプログラム。
【請求項１８】
保存している動画から静止画を切り出すステップと、
切り出し静止画にコード情報を埋め込むステップと、
前記コード情報を埋め込んだ切り出し静止画データを画像プリント装置へ送信するステップと、
を携帯端末のコンピュータに実行させるプログラムであって、
前記切り出し静止画データのファイル更新日時情報又は撮影日時情報に、動画撮影日時情報を設定させることを特徴とするプログラム。
【請求項１９】
前記切り出し静止画データはＪＰＥＧ形式のデータであり、
前記コード情報をメタデータの所定領域に埋め込ませることを特徴とする請求項１８に記載のプログラム。
【請求項２０】
前記動画撮影日時情報は、切り出し元の動画の更新日時であることを特徴とする請求項１７乃至１９のいずれかに記載のプログラム。
【請求項２１】
前記動画撮影日時情報は、前記切り出し静止画の撮影日時であることを特徴とする請求項１７乃至１９のいずれかに記載のプログラム。
【請求項２２】
切り出し元の動画の更新日時、及び切り出し元の動画内の先頭から何番目の静止画であるかに基づいて、前記切り出し静止画の撮影日時を算出することを特徴とする請求項２１に記載のプログラム。
【請求項２３】
切り出し元の動画の名称を前記コード情報に含めることを特徴とする請求項１６乃至２２のいずれかに記載のプログラム。
【請求項２４】
切り出し元の動画内の先頭から何番目の静止画であるかを前記コード情報に含めることを特徴とする請求項１６乃至２３のいずれかに記載のプログラム。
【発明の詳細な説明】
【技術分野】
【０００１】
本発明は、画像プリント方法、画像プリント装置、画像プリントシステム、及びプログラムに関する。
【背景技術】
【０００２】
デジタルカメラやスマートフォンのカメラ等で撮影した画像データを読み込んでプリント出力する画像プリント装置が様々な場所に設置されている。例えば、ユーザは、スマートフォンを持参し、メモリに保存されている画像データを画像プリント装置に転送する。画像プリント装置は、スマートフォンから受信した画像データをプリント出力する。
【０００３】
デジタルカメラやスマートフォンのカメラは、静止画だけでなく、動画を撮影することができる。ユーザは、撮影した動画の中から特定のフレーム画像（静止画）を切り出し、切り出した静止画を画像プリント装置に入力し、プリント出力することができる。
【０００４】
動画から切り出された静止画は、静止画モードでカメラ撮影した静止画よりも画質が粗い。そのため、動画から切り出された静止画と、静止画モードでカメラ撮影した静止画とで、それぞれに最適な（互いに異なる）画像処理をかけることが画像プリント装置に望まれている。しかし、従来の画像プリント装置は、入力された静止画が、動画から切り出された静止画であるか、又は静止画モードでカメラ撮影した静止画であるかを区別することができなかった。そのため、動画から切り出された静止画に対して最適な画像処理をかけることができず、ユーザが満足する仕上がり品質のプリント物を作製することが困難であった。
【０００５】
また、動画から切り出された静止画のデータには、動画から切り出した日時の情報は設定されるが、実際に動画を撮影した日時の情報は含まれていなかった。そのため、動画と、静止画モードでカメラ撮影した静止画と、動画から切り出された静止画とを撮影日時でソートした場合、動画から切り出された静止画が動画に続いて並んで表示されず、ユーザにとって利便性のよいものではなかった。
【先行技術文献】
【特許文献】
【０００６】
【特許文献１】特開２００７−２２８６０８号公報
【特許文献２】特開２００１−２５１５７３号公報
【特許文献３】特開２０００−３３３１２３号公報
【発明の概要】
【発明が解決しようとする課題】
【０００７】
本発明は、上記従来の実状に鑑みてなされたものであり、動画から切り出された静止画に対し好適な画像処理を施し、プリント物の仕上がり品質を向上させることができる画像プリント方法、画像プリント装置、画像プリントシステム、及びプログラムを提供することを課題とする。また、本発明の一態様は、静止画を撮影日順に表示する場合に、動画から切り出された静止画を、切り出し元の動画の撮影日に基づく位置に表示することができる画像プリント方法及びプログラムを提供することを課題とする。
【課題を解決するための手段】
【０００８】
本発明の一態様による画像プリント方法は、携帯端末が、保存している動画から静止画を切り出し、切り出し静止画データにコード情報を埋め込み、前記コード情報を埋め込んだ切り出し静止画データを画像プリント装置へ送信する工程と、前記画像プリント装置が、前記携帯端末から受信した静止画データに前記コード情報が埋め込まれているか否か検出し、前記コード情報が埋め込まれた切り出し静止画データを印画紙にプリントする工程と、を備えるものである。
【０００９】
本発明の一態様による画像プリント装置は、携帯端末から静止画データの入力を受け付ける入力部と、前記静止画データに、動画から切り出されたことを示すコード情報が埋め込まれているか否かを検出する検出部と、前記コード情報が埋め込まれた静止画データを印画紙にプリントするプリンタと、を備えるものである。
【００１０】
本発明の一態様による画像プリントシステムは、保存している動画から静止画を切り出し、切り出し静止画にコード情報を埋め込み、前記コード情報を埋め込んだ切り出し静止画データを送信する携帯端末と、前記携帯端末から受信した静止画データに前記コード情報が埋め込まれているか否かを検出し、前記コード情報が埋め込まれた切り出し静止画データを印画紙にプリントする画像プリント装置と、を備えるものである。
【００１１】
本発明の一態様によるプログラムは、保存している動画から静止画を切り出すステップと、切り出し静止画にコード情報を埋め込むステップと、前記コード情報を埋め込んだ切り出し静止画データを画像プリント装置へ送信するステップと、を携帯端末のコンピュータに実行させることを特徴とするのである。
【発明の効果】
【００１２】
本発明によれば、動画から切り出された静止画に対し好適な画像処理を施し、プリント物の仕上がり品質を向上させることができる。また、本発明の一態様によれば、静止画を撮影日順に表示する場合に、動画から切り出された静止画を、切り出し元の動画の撮影日に基づく位置に表示することができる。
【図面の簡単な説明】
【００１３】
【図１】本発明の実施形態による画像プリントシステムの概略構成図である。
【図２】同実施形態による携帯端末のブロック構成図である。
【図３】画像処理アプリの実行により実現される機能ブロック図である。
【図４】静止画切り出し画面の一例を示す図である。
【図５】画像ファイルのデータ構造の例を示す図である。
【図６】同実施形態による画像プリント装置のブロック構成図である。
【図７】プリント処理プログラムの実行により実現される機能ブロック図である。
【図８】画像選択画面の一例を示す図である。
【図９】画像選択画面の一例を示す図である。
【図１０】プリント物の一例を示す図である。
【図１１】同実施形態によるプリント処理の流れを説明するフローチャートである。
【発明を実施するための形態】
【００１４】
以下、本発明の実施の形態を図面に基づいて説明する。
【００１５】
図１は本実施形態による画像プリントシステムの概略構成を示す。図１に示すように、画像プリントシステムは、画像処理アプリケーションプログラム（アプリケーションソフトウェア、以下「アプリ」と略す）がインストールされている携帯端末１と、画像データを印画紙にプリントして出力する画像プリント装置２とを備える。
【００１６】
携帯端末１は、スマートフォンやタブレット機器等であり、静止画や動画を撮影できるカメラを有する。携帯端末１は、カメラで撮影した静止画や、撮影した動画から切り出した静止画（以下「切り出し静止画」と称することもある）の画像データを画像プリント装置２へ送信する。携帯端末１は、動画から静止画を切り出す際に、切り出した静止画のデータに、動画から切り出したものであることを示す所定のコード情報を埋め込む（付与する）。
【００１７】
画像プリント装置２は、携帯端末１から画像データを受信すると、各画像についてコード情報の有無を判定し、コード情報を持つ静止画、すなわち動画から切り出された静止画を検出する。動画から切り出された静止画は、カメラの静止画撮影モードで撮影された静止画よりも解像度が低く、画質が粗い。そのため、画像プリント装置２は、動画から切り出された静止画に対して画像処理を施し、高解像度化する。
【００１８】
画像プリント装置２は、携帯端末１から受信した画像データを表示し、プリントする画像の選択をユーザから受け付け、選択された画像をプリント出力する。動画から切り出された静止画に好適な画像処理が施されているため、プリント物の仕上がり品質を向上させることができる。
【００１９】
このように、携帯端末１において、動画から切り出した静止画にコード情報を付しておくことで、画像プリント装置２は、静止画撮影モードで撮影された静止画と、動画から切り出された静止画とを判別し、切り出し静止画に対して適切な画像処理を施すことができる。ユーザは、切り出し静止画についても、画質の良好なプリント物を得ることができる。
【００２０】
図２は携帯端末１のブロック構成図である。図２に示すように、携帯端末１は、ＣＰＵ１０、メモリ１１、カメラ１２、通信部１３及びタッチパネル（ディスプレイ）１４を有する。
【００２１】
カメラ１２は、例えば入力する光を集束させるレンズと、レンズにより集束された光を電気信号に変換する撮像素子とを備え、静止画や動画の撮影を行う撮影部である。
【００２２】
メモリ１１は、フラッシュメモリタイプ、マルチメディアカードマイクロ（MMC  Micro）タイプ、カードタイプのメモリ（例えば、ＳＤ又はＸＤメモリなど）、ＲＡＭ、ＳＲＡＭ、ＲＯＭ、ＥＥＰＲＯＭ、ＰＲＯＭ、磁気メモリの少なくとも１つのタイプの記憶媒体を含む。メモリ１１には、制御プログラム、画像処理アプリ、カメラ１２で撮影された静止画データや動画データなどが格納されている。
【００２３】
静止画データは、例えばＥｘｉｆ（Ｅｘｃｈａｎｇｅａｂｌｅ  Ｉｍａｇｅ  Ｆｉｌｅ  Ｆｏｒｍａｔ）に準拠したＪＰＥＧ形式の静止画ファイルである。動画データは、例えばＭＰ４形式の動画ファイルである。
【００２４】
ＣＰＵ１０が制御プログラムを実行することで、携帯端末１の各部を制御する制御部として機能する。また、ＣＰＵ１０が画像処理アプリを実行することで、図３に示すように、画像選択部１５、静止画切り出し部１６、及び画像送信処理部１７が実現され、画像プリント装置２へ画像（静止画）データを送信できるようになる。
【００２５】
画像選択部１５は、メモリ１１に格納されている画像の一覧である画像選択画面をタッチパネル１４に表示し、タッチパネル１４を介して、画像プリント装置２へ送信する画像の選択をユーザから受け付ける。メモリ１１に動画が格納されている場合、動画に含まれる時系列に並ぶ複数のフレーム画像のうちの１つ（例えば先頭のフレーム画像）が、画像選択画面に表示される。
【００２６】
画像選択画面においてユーザから動画が選択された場合、静止画切り出し部１６は、選択された動画から静止画を切り出す。例えば動画が選択されると、図４に示すような静止画切り出し画面１００がタッチパネル１４に表示される。静止画切り出し画面１００の静止画領域１１０には、静止画切り出し部１６が動画から切り出した（抽出した）複数の静止画（フレーム又はコマとも言う）が時系列に並べて表示される。
【００２７】
静止画切り出し部１６は、所定の時間間隔で静止画を切り出す。例えば、３０ｆｐｓ（frames  per  second）で６０秒間撮影された動画には１８００（＝３０×６０）枚の極めて多数のフレーム画像が含まれる。そのため、静止画切り出し部１６は、例えば０．５秒間隔で静止画を切り出す。静止画を切り出す時間間隔はユーザに任意に設定できてもよい。
【００２８】
静止画選択ボタン１１２が静止画領域１１０内を（図４の例では左右方向に）スライドするようになっており、静止画選択ボタン１１２で選択中の静止画が、拡大表示領域１１４に表示される。ユーザは拡大表示領域１１４に表示されている静止画を確認し、静止画選択ボタン１１２を押す（タップする）と、この静止画が画像プリント装置２へ送信する画像として選択され、選択静止画表示領域１１６に表示される。あるいはまた、静止画選択ボタン１１２で選択中の静止画を選択静止画表示領域１１６へスワイプ（移動）させてもよい。切り出し静止画の選択を終える場合は完了ボタン１１８を押す。
【００２９】
静止画切り出し部１６は、画像プリント装置２へ送信する画像として選択された切り出し静止画のデータファイルに、この静止画が動画から切り出したものであることを識別するためのコード情報を埋め込む。切り出し静止画は、カメラ１２により静止画撮影モードで撮影された静止画と同じファイル形式であり、例えばＥｘｉｆに準拠したＪＰＥＧ形式となっている。
【００３０】
図５は、ＪＰＥＧデータのフォーマットを示す。ＪＰＥＧフォーマットは、圧縮データの開始を示すＳＯＩマーカから始まり、圧縮データの終了を示すＥＯＩマーカで終了する。ＳＯＩマーカとＥＯＩマーカとの間に複数のセグメントと画像データとがある。静止画切り出し部１６は、ＥＯＩマーカの後ろにコード情報を埋め込む。また、静止画切り出し部１６は、切り出し静止画の撮影日時情報やファイル更新日時情報に、動画撮影日時情報を設定する。動画撮影日時情報は、例えば動画ファイルの更新日時である。
【００３１】
また、静止画切り出し部１６は、切り出し元の動画ファイルの名称、及び１つの動画に含まれるフレームのうち選択された切り出し静止画が先頭から何番目のフレームであるかといった情報をコード情報に含める。１つの動画から複数の静止画が切り出された場合、各切り出し静止画に埋め込まれたコード情報に基づいて、各切り出し静止画の時系列順が分かる。
【００３２】
画像送信処理部１７は、動画から切り出された静止画を含むユーザから選択された画像データを、通信部１３を介して画像プリント装置２へ送信する。通信部１３は、無線ＬＡＮ機能を有する通信インタフェースである。
【００３３】
図６は画像プリント装置２のブロック構成を示す。画像プリント装置２は、ＣＰＵ２０、メモリ２１、画像データ入力部２２、タッチパネル２３、プリンタ２４、及び課金部２５を有する。
【００３４】
画像データ入力部２２は、画像データの入力を受け付ける。例えば、画像データ入力部２２は、無線通信により携帯端末１から画像データの入力を受け付ける。また、画像データ入力部２２は、様々な記憶媒体に対応したデータ読取装置を有している。
【００３５】
メモリ２１は、フラッシュメモリタイプ、ハードディスクタイプ、マルチメディアカードマイクロ（MMC  Micro）タイプ、カードタイプのメモリ（例えば、ＳＤ又はＸＤメモリなど）、ＲＡＭ、ＳＲＡＭ、ＲＯＭ、ＥＥＰＲＯＭ、ＰＲＯＭ、磁気メモリの少なくとも１つのタイプの記憶媒体を含む。メモリ２１には、制御プログラム、プリント処理プログラム、入力された画像データなどが格納されている。
【００３６】
タッチパネル２３は、画像を含む情報を表示したり、ユーザから各種指示の入力を受け付けたりする。
【００３７】
プリンタ２４は、昇華型又はインクジェット型などの高解像度カラープリンタであり、画像データを印画紙にプリントして出力する。
【００３８】
課金部２５は、貨幣受入部及び釣銭返却部を有し、貨幣受入部から受け入れた貨幣を識別計数し、釣銭を釣銭返却部から放出する。
【００３９】
ＣＰＵ２０は、メモリ２１の制御プログラムを実行することで、画像プリント装置２の各部を制御する制御部として機能する。また、ＣＰＵ２０がプリント処理プログラムを実行することで、図７に示すように、検出部２０１、画像処理部２０２、サムネイル表示部２０３、注文受付部２０４、及びプリント指示部２０５が実現される。
【００４０】
検出部２０１は、携帯端末１から画像データが入力されると、各画像ファイルの後ろから所定バイト数のデータを読み込み、コード情報の有無を判定する。検出部２０１は、コード情報が書かれている画像ファイル、すなわち動画から切り出された静止画を検出する。
【００４１】
画像処理部２０２は、検出部２０１により検出された切り出し静止画に対して画像処理を施し、高解像度化する。例えば、画像処理部２０２は、周辺画素の画素値を用いて補間画素の画素値を求める補間処理を行ったり、デジタルフィルタを用いた空間フィルタ処理による鮮鋭強調処理を行ったりする。画像処理部２０２は、カメラ１２で撮影した静止画と、切り出し静止画とで異なる画像処理を施す。
【００４２】
サムネイル表示部２０３は、入力された画像データを縮小してサムネイル画像を生成し、図８に示すように、サムネイル画像をタッチパネル２３に表示する。画像データ入力部２２を介して入力された画像データの数が多い場合は、ページ切替ボタン３１を押下（接触）してページを切り替えることで、全てのサムネイル画像を確認することができる。
【００４３】
各サムネイル画像の側部の一方には拡大ボタン３２が設けられ、他方には編集ボタン３３が設けられている。拡大ボタン３２を押下することで、このサムネイル画像を拡大表示することができる。編集ボタン３３を押下すると、タッチパネル２３の表示が、この画像を編集する編集画面に切り替わり、画像データに対して文字を書き入れたり、スタンプやフレームを合成したりするなどの画像編集加工が行えるようになっている。
【００４４】
各サムネイル画像の下部には、その画像のプリント枚数を指定するプリント枚数増減ボタン３４が設けられている。ユーザはプリント枚数増減ボタン３４を押下し、各画像のプリント枚数を指定し、プリント注文を入力することができる。
【００４５】
サムネイル表示部２０３は、画像データの撮影日時情報に基づいて、撮影日時順にサムネイル画像を表示することができる。切り出し静止画の撮影日時には、元の動画の撮影日時が設定されているため、切り出し静止画は、カメラ１２で撮影した静止画と共に撮影日時順に表示される。また、サムネイル表示部２０３は、切り出し静止画のコード情報に含まれる、元の動画のファイル名、及び動画を構成するフレームの何番目のフレームであったかを示す情報に基づいて、同一の動画から切り出された複数の静止画を時系列順に表示することができる。
【００４６】
図８に示すように、切り出し静止画のサムネイル画像に、動画から切り出されたものであることを示すマーク３５を付してもよい。
【００４７】
注文受付部２０４は、プリント注文を受け付け、課金額を算出する。
【００４８】
プリント指示部２０５は、プリント注文に基づいて、画像データをプリンタ２４へ転送し、印画紙にプリントするように指示する。
【００４９】
プリントする画像の選択画面において、図９に示すように、切り出し静止画については、複数の画像をレイアウトして１枚の印画紙にプリントする分割プリントを勧めるようにしてもよい。これにより、例えば、図１０に示すような、同一の動画から切り出された複数の静止画を１枚の印画紙にレイアウトした分割プリントのプリント物４を作製することができる。
【００５０】
次に、図１１に示すフローチャートを用いて、本実施形態に係る画像プリント処理の流れを説明する。
【００５１】
ユーザは、携帯端末１の画像処理アプリを起動し、メモリ１１に保存されている画像データから、画像プリント装置２へ転送する画像を選択する（ステップＳ１０１）。動画から静止画を切り出す場合（ステップＳ１０２＿Ｙｅｓ）、ユーザが動画を選択すると、静止画切り出し部１６が動画から複数の静止画を切り出し、タッチパネル１４に図４に示すような静止画切り出し画面１００を表示する（ステップＳ１０３、Ｓ１０４）。
【００５２】
ユーザは、静止画領域１１０から静止画を選択する（ステップＳ１０５）。静止画切り出し部１６は、選択された切り出し静止画の画像ファイルにコード情報を書き込む（ステップＳ１０６）。例えば、ＪＰＥＧフォーマットの画像ファイルのＥＯＩマーカの後ろにコード情報を書き込む。コード情報には、元の動画ファイルの名称や、１つの動画に含まれるフレームのうち、この静止画が何番目のフレームであるかといった情報が含まれる。また、静止画切り出し部１６は、切り出し静止画の撮影日時や更新日時に、元の動画の撮影日時情報を設定する。
【００５３】
切り出し静止画の選択を終える場合は（ステップＳ１０７＿Ｙｅｓ）完了ボタン１１８を押す。
【００５４】
画像プリント装置２へ転送する画像の選択を終えると（ステップＳ１０８＿Ｙｅｓ）、画像送信処理部１７は、選択された画像を画像プリント装置２へ送信する（ステップＳ１０９）。なお、画像プリント装置２へ転送する画像の選択を終えた状態で処理を一時中断し、画像選択状態を保存しておいてもよい。
【００５５】
画像プリント装置２に携帯端末１から画像データが入力されると、検出部２０１が画像ファイルの所定領域、例えば後ろから所定バイト数のデータ領域を確認し、切り出し静止画を検出する（ステップＳ１１０）。
【００５６】
画像ファイルにコード情報が含まれている場合（ステップＳ１１１＿Ｙｅｓ）、この画像は動画から切り出された静止画であるため、画像処理部２０２が画像処理を施し、高解像度化する（ステップＳ１１２）。
【００５７】
サムネイル表示部２０３が、入力された画像データを縮小してサムネイル画像を生成し、タッチパネル２３に表示する（ステップＳ１１３）。切り出し静止画の撮影日時には元の動画の撮影日時が設定されているため、カメラ１２で撮影した静止画と切り出し静止画とを、実際に撮影が行われた日時の順で表示することができる。ユーザは、タッチパネル２３を操作し、プリントする画像を選択する（ステップＳ１１４）。
【００５８】
プリントする画像の選択が完了すると、ユーザからの注文内容に基づく請求金額がタッチパネル２３に表示される。ユーザが貨幣を投入すると、課金部２５は投入された貨幣を計数し、釣銭の出金やレシートの印字等を行う（ステップＳ１１５）。
【００５９】
課金処理後、プリント指示部２０５が、プリント出力対象の画像をプリンタ２４へ転送し、プリントを実行させる（ステップＳ１１６）。これにより、携帯端末１から転送された画像のプリント物が作製される。
【００６０】
本実施形態では、動画から切り出した静止画にコード情報を付与しているため、画像プリント装置２はコード情報の有無から、入力された静止画が、カメラ１２で撮影した静止画であるか、又は動画から切り出された動画であるかを判別することができ、切り出し静止画に適切な画像処理を施して、画質の良好なプリント物を作製することができる。
【００６１】
また、切り出し静止画には、元の動画と同じ撮影日時が設定され、コード情報には動画内で何番目のフレームであったかが記載されているため、画像プリント装置２は、切り出し静止画を撮影日時の順で表示することができる。ユーザは、画像プリント装置２のタッチパネル２３において、カメラで撮影した静止画及び切り出し静止画を撮影日時順で確認できるため、プリントする画像を容易に選択できる。
【００６２】
また、図９、図１０に示すように、切り出し静止画については、複数の画像をレイアウトして１枚の印画紙にプリントする分割プリントを勧めることで、画像１つあたりのプリントサイズを小さくし、カメラで撮影した静止画より低解像度であることが目立たないようにすることができる。
【００６３】
１枚の印画紙に複数の画像をレイアウトして、画像１つあたりのプリントサイズを小さくするものは分割プリントに限定されず、インデックスプリントや、パラパラ漫画風のテンプレートを勧めてもよい。
【００６４】
上記実施形態では、画像プリント装置２が、個別印画紙に画像をプリントする例について説明したが、ユーザにより選択された複数の画像を撮影日時の順で自動レイアウトし、フォトブックを作製するものであってもよい。
【００６５】
上記実施形態では、切り出し静止画の撮影日時情報に切り出し元の動画の更新日時を設定し、コード情報に、元の動画ファイルの名称、及び元の動画に含まれるフレームのうち何番目のフレームであるかという情報を含めることで、１つの動画から切り出された複数の静止画の時系列順を判断していたが、静止画の切り出し位置から詳細な撮影時刻を計算し、撮影日時に設定してもよい。
【００６６】
例えば、１０時２０分１０秒に３０ｆｐｓのフレームレートで撮影開始された動画データについて考える。この動画から切り出された静止画が、１２０番目のフレームであった場合、撮影開始から４（＝１２０÷３０）秒後、すなわち、この静止画の撮影時刻は１０時２０分１４秒であると計算される。これにより、１つの動画から切り出された複数の静止画の時系列順を、撮影時刻に基づいて判断することができる。
【００６７】
上記実施形態では、ＪＰＥＧデータのＥＯＩマーカの後ろにコード情報を埋め込むため、画像プリント装置２の検出部２０１は、画像ファイルの後ろから所定バイト数のデータから、コード情報の有無を容易に判断することができる。
【００６８】
コード情報を埋め込む位置は、ＥＯＩマーカの後ろに限定されず、例えば、ＳＯＩマーカとＥＯＩマーカとの間の複数のセグメント（Ｅｘｉｆデータやサムネイル等のメタデータが入っているセグメント）のいずれかに埋め込んでもよい。セグメントに埋め込むことで、携帯端末１において静止画データのプロパティにコード情報が記載される。そのため、ユーザは、携帯端末１に保存されている静止画のプロパティを確認することで、この静止画が、カメラ１２で撮影したものか、又は動画から切り出したものかを容易に判別することができる。
【００６９】
画像プリント装置２は、入力された画像データのサムネイル画像を表示するにあたり、カメラで撮影された静止画のサムネイル画像を表示する領域と、動画から切り出された静止画のサムネイル画像を表示する領域とを分けてもよい。
【００７０】
画像処理部２０２による切り出し静止画に対する画像処理は、サムネイル画像の一覧表示及びユーザによる画像の選択と並行して行ってもよい。
【００７１】
また、画像プリント装置２と通信可能に接続された画像処理用のサーバ装置を設け、サーバ装置で切り出し静止画の画像処理を行うようにしてもよい。画像プリント装置２は、コード情報が埋め込まれている切り出し静止画を検出すると、切り出し静止画をサーバ装置へ送信する。サーバ装置は、画像プリント装置２から受信した切り出し静止画に画像処理を施し、処理後の静止画を画像プリント装置２へ送信する。
【００７２】
上記実施形態では、画像プリント装置２が、切り出し静止画と、静止画モードで撮影された静止画とを区別するために、画像選択画面において、切り出し静止画のサムネイル画像にマーク３５を付す例を説明したが（図８参照）、静止画モードで撮影された静止画の画像サイズが所定値以下の場合に、画像サイズが小さいことを示すマーク（マーク３５とは別のマーク）を付してもよい。
【００７３】
画像プリント装置２は、切り出し静止画に設定されている動画の撮影日時情報を、切り出し静止画に画像合成してプリント出力してもよい。
【００７４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００７５】
１  携帯端末
２  画像プリント装置
１０  ＣＰＵ
１１  メモリ
１２  カメラ
１３  通信部
１４  タッチパネル
１５  画像選択部
１６  静止画切り出し部
１７  画像送信処理部
２０  ＣＰＵ
２１  メモリ
２２  画像データ入力部
２３  タッチパネル
２４  プリンタ
２５  課金部
１００  静止画切り出し画面
２０１  検出部
２０２  画像処理部
２０３  サムネイル表示部
２０４  注文受付部
２０５  プリント指示部
【図１】
0006627559.tif 000002
【図２】
0006627559.tif 000003
【図３】
0006627559.tif 000004
【図４】
0006627559.tif 000005
【図５】
0006627559.tif 000006
【図６】
0006627559.tif 000007
【図７】
0006627559.tif 000008
【図８】
0006627559.tif 000009
【図９】
0006627559.tif 000010
【図１０】
0006627559.tif 000011
【図１１】
0006627559.tif 000012